(57)【要約】【課題】  主として腰掛けて使用する大小便兼用の洋風便器に男性が立って小水をすると、便鉢の底面やトラップの溜まり水に小水が衝突して生じる跳ね返りが小水をしている人のズボンや脚、さらに床を汚すという問題ばかりでなく、衛生的にも問題があった。【解決手段】  洋風便器で男子が立って小水をする時に、男性が立っている側から洋風便器の開口部の内壁に向かって、便鉢の底面やトラップの溜まり水を覆うように水流を形成することで、小水や小水混じりのトラップの溜まり水を取り込んで洋風便器内に流し込むことで跳ね返りを防ぐ。【選択図】図２
2014105570.tif 000002
【特許請求の範囲】
【請求項１】
便鉢の底面とトラップの溜まり水を覆うように水流を形成することにより、男性が立って小用をする時に洋風便器で生じる跳ね返りを取り込んで洋風便器内に流し込む方法。
【請求項２】
〔請求項１〕の水流を形成する方法を備えたことを特徴とする洋風便器に使用する水流発生装置。
【請求項３】
〔請求項１〕の水流を形成する方法を備えたことを特徴とする洋風便器。
【発明の詳細な説明】
【技術分野】
【０００１】本発明は、主に腰掛けて使用する大・小便兼用の便器（以下、「洋風便器」と言う）の小水や小水混じりのトラップの溜まり水の跳ね返りの防止方法およびその装置に関する。
【背景技術】
【０００２】一般家庭に設置されている大・小便兼用の洋風便器に男性が立って小水をすると、便鉢の底面やトラップの溜まり水に小水が衝突して、小水や、小水混じりのトラップの溜まり水が跳ね返り、小水をしている男性のズボンや脚、さらに床を汚すばかりでなく、衛生的にも問題があった。【０００３】前記問題に対する改善方法として、便鉢内の跳ね返りが少ない場所に小水を当てるように目印を設けるもの（特許文献１）、跳ね返った小水を防ぐための板を設置するもの（特許文献２）、便鉢の底から細かい気泡を出して、トラップの溜まり水の表面に泡の層を作って跳ね返りを少なくするもの（特許文献３）、トラップ水の表面を波立てて表面からの跳ね返りを少なくするもの（特許文献４）、便鉢の高さやトラップの溜まり水の水位を変えて跳ね返りを少なくするもの（特許文献５）、便鉢のトラップの溜まり水の上方に半円形の噴水とその外側に空気噴流を形成して跳ね返りを便鉢内に押さえ込むもの（特許文献５）などの提案があり、さらに、これは普通に座面に座って用便をする時の提案だが、便鉢内に気流を生じさせて跳ね返り（俗に「オツリ」）を防ぐアイデア（特許文献７）が提案されている。【０００４】しかし、これらの提案は、小水を当てる目印では跳ね返りの具体的な対策にならない、跳ね返り対策がトラップの溜まり水に限定されるのに複雑・高価、薬剤が下水処理の負荷になる、跳ね返りを吸い込む空気ポンプは定期的な清掃が必須、というように、いずれも効果が不十分な上に、実用上もいろいろ欠点があった。
【先行技術文献】
【特許文献】
【０００５】
【特許文献１】  特開２００７−３３０７８９号  公報
【特許文献２】  特開２００１−３０３６４２号  公報
【特許文献３】  特開平１０−０５４０６８号  公報
【特許文献４】  特開平０９−３１６９７９号  公報
【特許文献５】  特開２０１０−２１６０８２号  公報
【特許文献６】  特許第４３５５８０２号
【特許文献７】  実登２５３０７９４号  公報
【発明の概要】
【発明が解決しようとする課題】
【０００６】解決しようとする問題点は、小水が便鉢の底面やトラップの溜まり水に衝突する時にかならず生じる、小水や小水混じりのトラップの溜まり水の跳ね返りを、これまで十分に防止できなかった点にある。
【課題を解決するための手段】
【０００７】本発明は、便鉢の底面やトラップの溜まり水を覆うように水流を形成することで、小水や小水混じりのトラップの溜まり水の跳ね返りを取り込んで洋風便器内に流し込むことをもっとも主要な特徴とし、本発明の方法は、既成の洋風便器と組み合わせる独立した装置や新規に開発する洋風便器にも適用できるという特徴がある。
【発明の効果】
【０００８】  本発明は、洋風便器で利用されている水を使うので容易に適用でき、便鉢の底面とトラップの溜まり水の両者からの跳ね返りを水流で取り込んで洋風便器内に流し込むことで、跳ね返りを効果的に防止できるという利点とともに、洋風便器の内壁まで運ばれた跳ね返りは水流と一緒に流れ落ちるが、仮に内壁に跳ね返りが付着して残ったとしても、使用後に流す水洗の水によって洗浄されるので清掃の手間が省くことができるという利点がある。【０００９】さらに、既成の洋風便器用にこの方法を適用した水流発生装置を作ったり、新規に開発する洋風便器にこの方法を適用できるなど、すべての洋風便器に広く利用できるという利点もある。
【図面の簡単な説明】
【００１０】
【図１】洋風便器と水流発生装置との組み合わせを示す上面・側面図である。（実施例１）
【図２】水流の跳ね返り防止効果の説明図である。
【図３】水流発生装置の構造図である。
【図４】水流発生装置と水道との接続図である。
【図５】スリットやノズル小穴の配置図である。
【図６】実際に使用する場合の構成図である。
【図７】システム構成図である。
【図８】水流発生の機能を持たせた洋風便器の外観図である。（実施例２）
【発明を実施するための形態】
【００１１】本発明の、便鉢の底面５とトラップの溜まり水を覆うように水流を形成して洋風便器からの跳ね返りを防止する方法を、すでに設置されている洋風便器に適用出来る水流発生装置（実施例１）と、新規に開発される水流発生装置を組み込んだ洋風便器（実施例２）とを容易に実現した。
【実施例１】
【００１２】  図１は実施例１で、すでに設置されている洋風便器に適用出来る、小用や小用混じりのトラップの溜まり水の跳ね返りを防止する水流を発生する水流発生装置と洋風便器とを組み合わせた上面・側面図で、洋風便器１と水流発生装置１１とを組合せ、水流発生装置１１から洋風便器１内の便鉢４の底面５とトラップの溜まり水６を覆うように発射されて水流２１が形成されている様子を示している。【００１３】  図２は第１の実施例の効果の説明図で、男性（図示せず）の小水２５が水流発生装置１１から発射された水流２１を貫通して便鉢４の底面５に衝突して生じた跳ね返り２６やトラップの溜まり水６に衝突して生じた跳ね返り２７が水流２１によって遮られていること、これらの跳ね返り２６と２７が水流２１と、水流２１によって生じた空気流２２とによって水流２１の方向に運ばれることを示している。【００１４】  図３は水流発生装置１１の構造で、中空のヘッド１２に薄板（通常はステンレス板）に直径が０．２ｍｍから１ｍｍ程度の小孔を横方向に１列、もしくはそれを（縦方向に）数列配置したノズル板１３を装着することで水流発生装置１１が構成されていることを示している。【００１５】  図４は水流発生装置１１と水道管の接続を示しており、水道管からの配管１４、水栓１５からなり、使用時には水流２１が洋風便器１内の便鉢４の底面５とトラップの溜まり水６を覆う勢いになるように水栓１５を開けて調節する。【００１６】  図５はノズル板１３に開ける小穴の配置図で、（１）は１列、（２）は２列、（３）は細いスリットを設ける例を示しており、小穴とスリットのどちらを選択するかや何列にするかは、対象となる洋風便器の便鉢底面の形状やトラップの溜まり水の水量等に適合する水流になるようにするのが良い。【００１７】図６は実際の適用例で、水流発生装置１１を自動的に（便利に）使用出来るように、洋風便器１の便座３を開けた状態を検知する便座センサー１６と、男性（図示せず）が小水をするために洋風便器１の手前に立ったことを検知する人センサー１７を設け、図７のシステム構成図に示すように、電磁バルブ１９や水に圧力をかけて送るポンプ２０を設け、便座センサー１６と人センサー１７とが同時に検知状態になった時に制御部１８でポンプ２０を駆動し、さらに、電磁バルブ１９を「開」状態にして、水流発生装置１１に水を供給して水流２１を形成する。
【実施例２】
【００１８】  図８は実施例２で、本発明を適用した洋風便器３０を示しており、便鉢３１のリム３２に小穴を設けた水流発生部３３を組み込んだもので、図７に記したような電磁バルブ１９やポンプ２０を用いて加圧した水をリム３２の内部の水路（図示せず）を通して水流発生部３３に供給すれば、水流を形成することが容易なことは上記の説明から明らかである。【００１９】なお、これまで水流２１は主として多数の小穴から水を噴射するシャワー状のもので説明したが、〔００１０〕に記したように、図６（４）に図示する細いスリットからの水流でも良い。
【符号の説明】
【００２０】１    洋風便器
２    ふた
３    便座
４    便鉢
５    便鉢の底面
６    トラップの溜まり水
７    小穴
８    スリット
１１  水流発生装置
１２  ヘッド
１３  ノズル板
１４  配管
１５  水栓
１６  便座センサー
１７  人センサー
１８  制御部
１９  電磁バルブ
２０  ポンプ
２１  水流
２２  空気流
２３  小水
２４  便鉢の底面からの跳ね返り
２５  トラップ水からの跳ね返り
３０  水流機能付洋風便器
３１  便鉢
３２  リム
３３  水流発生部
【図１】
2014105570.tif 000003
【図２】
2014105570.tif 000004
【図３】
2014105570.tif 000005
【図４】
2014105570.tif 000006
【図５】
2014105570.tif 000007
【図６】
2014105570.tif 000008
【図７】
2014105570.tif 000009
【図８】
2014105570.tif 000010